(57)【要約】      （修正有）【課題】鉢植え等の物品の揺動を抑えると共に、外部の衝撃からこの物品を容易かつ確実に保護することができる緩衝シートを提供する。【解決手段】緩衝シート１は、外底板４ａ、４ｂ及び外底板の左右方向両側に連接される一対の外側板を有する外壁構成帯状部２ａ、２ｂと、外壁構成帯状部の前縁及び／又は後縁に並設される内壁構成帯状部３とを備える。内壁構成帯状部が、外底板に連接され外底板よりも左右方向長さの小さい内底板６、内底板の両側に連接される一対の第一内側板７、一対の第一内側板の外縁に連接される一対の平面板８、並びに一対の平面板の外縁に連接されると共に外側板の前縁及び／又は後縁に連接される一対の第二内側板９を有する。一対の第一内側板が、物品を収納可能な収納凹部１３及び物品を前後方向から支持する前後一対の支持柱を構成し、内壁構成帯状部が、収納凹部に向けて支持柱の前後方向内縁から突設される舌片１０、１１をさらに有する。【選択図】図１
0003198918.tif 000002
【実用新案登録請求の範囲】
【請求項１】
一枚の段ボールシートからなり、正面視略Ｕ字状の緩衝体に組み立てられ包装箱内に収容される緩衝シートであって、
組立状態において外底部を構成する外底板、及びこの外底板の左右方向両側に連接され組立状態において互いに対向する一対の外側部を構成する一対の外側板を有する外壁構成帯状部と、この外壁構成帯状部の前縁及び／又は後縁に並設され内壁を構成する内壁構成帯状部とを備え、
上記内壁構成帯状部が、上記外底板に連接されこの外底板よりも左右方向長さの小さい内底板、この内底板の左右方向両側に連接され組立状態において互いに対向する一対の第一内側板、この一対の第一内側板の左右方向外縁に連接され組立状態において上記外底板と対向する一対の平面板、並びにこの一対の平面板の左右方向外縁に連接されると共に上記外側板の前縁及び／又は後縁に連接される一対の第二内側板を有し、
上記一対の第一内側板が、それぞれ組立状態において緩衝体前後方向中央に内底板の左右方向長さよりも広い物品を収納可能な収納凹部及び上記物品を前後方向から支持する前後一対の支持柱を構成し、上記内壁構成帯状部が、この収納凹部に向けて上記支持柱の前後方向内縁から突設される舌片をさらに有することを特徴とする緩衝シート。
【請求項２】
上記舌片が、上記前後一対の支持柱の前後方向内縁からそれぞれ突設されている請求項１に記載の緩衝シート。
【請求項３】
上記第一内側板が、上記内底板の左右方向側縁の前後部分から互いに間隔をもって配設される前後一対の支持柱構成部位を有し、
上記平面板が、前後一対の支持柱構成部位双方の左右方向外縁に連接されている請求項１又は請求項２に記載の緩衝シート。
【請求項４】
上記平面板が、上記収納凹部と連続する左右方向内縁に上記収納凹部側に突出する凸片を有する請求項３に記載の緩衝シート。
【請求項５】
請求項１から請求項４のいずれか１項に記載の緩衝シートを組み立ててなる緩衝体と、上記緩衝体の外底部及び一対の外側部に外側から当接するようこの緩衝体を内部に収容する包装箱とを備える物品収納ユニット。
【考案の詳細な説明】
【技術分野】
【０００１】
本考案は、緩衝シート及び物品収納ユニットに関する。
【背景技術】
【０００２】
従来、鉢植え等の物品の運搬に段ボール等からなる包装箱が用いられている。このような包装箱は、鉢植えを外側から保護することで一定の緩衝機能を有する。しかしながら、このような包装箱に鉢植えを収納する場合、包装箱内で鉢植えが傾いたり倒れたりして鉢から土が漏れたり、植物が包装箱と接触して破損したりするおそれがある。また、このような包装箱のみによっては十分な緩衝作用を奏することができず、外部から比較的強い衝撃が加えられると鉢や植物が破損するおそれが高い。
【０００３】
このような問題を解決すべく、今日では、緩衝機能を向上可能な立体物のパッキングが発案されている（特開２０１３−１５９３６９号公報参照）。この公報所載のパッキングは、鉢を前後から挟むべく対向して設けられる一対の前後壁部を備え、この前後壁部が鉢の外周部を嵌め入れるための貫通口部を有する。そのため、このパッキングは、この貫通口部に鉢を嵌め入れることで鉢の揺動を一定程度抑制することができる。また、このパッキングは、前後壁部が貫通口部の側縁から貫通口側に突出する屈曲フラップを有するので、この屈曲フラップによって鉢の側面が保護される。しかしながら、このパッキングは、前後壁部に設けられた貫通口部に鉢を嵌め入れた場合、鉢の側面が前後壁部の平面位置よりも外側に突出するため、この突出部分が他の物品等と接触しやすくなり、この突出部分が破損するおそれが高くなる。
【０００４】
また、このパッキングは、底部に外側に張り出すスペーサ片を有し、このスペーサ片を包装箱の角部に当接した状態で包装箱内に収容することも可能とされている。しかしながら、このパッキングは、このように底部に設けられたスペーサ片によって底部を包装箱内に嵌め込むと、このパッキングの上部と包装箱との間に空隙が生じるため、上部のグラつきが助長され、鉢植えが包装箱内で傾いたり倒れたりするおそれが高くなる。
【先行技術文献】
【特許文献】
【０００５】
【特許文献１】特開２０１３−１５９３６９号公報
【考案の概要】
【考案が解決しようとする課題】
【０００６】
本考案は、このような不都合に鑑みてなされたものであり、鉢植え等の物品の揺動を抑えると共に、外部の衝撃からこの物品を容易かつ確実に保護することができる緩衝シート及び物品収納ユニットの提供を目的とするものである。
【課題を解決するための手段】
【０００７】
上記課題を解決するためになされた本考案に係る緩衝シートは、一枚の段ボールシートからなり、正面視略Ｕ字状の緩衝体に組み立てられ包装箱内に収容される緩衝シートであって、組立状態において外底部を構成する外底板、及びこの外底板の左右方向両側に連接され組立状態において互いに対向する一対の外側部を構成する一対の外側板を有する外壁構成帯状部と、この外壁構成帯状部の前縁及び／又は後縁に並設され内壁を構成する内壁構成帯状部とを備え、上記内壁構成帯状部が、上記外底板に連接されこの外底板よりも左右方向長さの小さい内底板、この内底板の左右方向両側に連接され組立状態において互いに対向する一対の第一内側板、この一対の第一内側板の左右方向外縁に連接され組立状態において上記外底板と対向する一対の平面板、並びにこの一対の平面板の左右方向外縁に連接されると共に上記外側板の前縁及び／又は後縁に連接される一対の第二内側板を有し、上記一対の第一内側板が、それぞれ組立状態において緩衝体前後方向中央に内底板の左右方向長さよりも広い物品を収納可能な収納凹部及び上記物品を前後方向から支持する前後一対の支持柱を構成し、上記内壁構成帯状部が、この収納凹部に向けて上記支持柱の前後方向内縁から突設される舌片をさらに有することを特徴とする。
【０００８】
当該緩衝シートは、外壁構成帯状部を内壁構成帯状部の外側に折り重ね、又は内壁構成帯状部を外壁構成帯状部の内側に折り重ねて、一対の外側板、一対の第一内側板及び一対の第二内側板がそれぞれ対向するように正面視略Ｕ字状に折り曲げることで緩衝体として組み立てられる。当該緩衝シートは、収納凹部及び前後一対の支持柱を構成する一対の第一内側板を有するので、この収納凹部に物品を収納することで物品の揺動を抑えることができる。また、当該緩衝シートは、上記内壁構成帯状部が収納凹部に向けて支持柱の前後方向内縁から突設される舌片を有するので、収納凹部に収納された物品の側面を保護することができる。さらに、当該緩衝シートは、組立状態で各々対向する一対の外側板、一対の第一内側板及び一対の第二内側板を有し、この一対の第一内側板に収納凹部が形成されているので、この収納凹部に物品を収納した場合でも、この物品の両側面よりも外側に上記一対の外側板が存在する。つまり、当該緩衝シートは、収納凹部に物品を収納した場合でも、この物品は一対の外側板よりも外側に突出しない。そのため、当該緩衝シートは、物品の側面側から衝撃が加えられた場合でも、上記一対の外側板によって物品に加えられる衝撃を弱めることができる。従って、当該緩衝シートは、外部の衝撃から物品を容易かつ確実に保護することができる。
【０００９】
上記舌片が、上記前後一対の支持柱の前後方向内縁からそれぞれ突設されているとよい。このように、上記前後一対の支持柱から突設される前後一対の舌片を有することによって、物品を前後一対の支持柱間により的確に保持することができる。また、このような構成によると、収納凹部に物品を収納した状態で前後一対の舌片間に空隙を生じ、物品が外側に露出されるおそれがあるが、当該緩衝シートは一対の第一内側板の外側に一対の外側板が設けられるので、物品の破損等を抑制することができる。
【００１０】
上記第一内側板が、上記内底板の左右方向側縁の前後部分から互いに間隔をもって配設される前後一対の支持柱構成部位を有し、上記平面板が、前後一対の支持柱構成部位双方の左右方向外縁に連接されているとよい。このように、上記第一内側板が上記内底板の左右方向側縁の前後部分から互いに間隔をもって配設される前後一対の支持柱構成部位を有すると共に、上記平面板が前後一対の支持柱構成部位双方の左右方向外縁に連接されることにより、前後一対の支持柱構成部位により上記収納凹部に収納された物品の揺動を防止することができると共に、上記平面板が物品の一部を上方から覆うことで、物品の収納状態を好適に保持することができる。
【００１１】
上記平面板が、上記収納凹部と連続する左右方向内縁に上記収納凹部側に突出する凸片を有するとよい。このように、上記平面板が上記収納凹部と連続する左右方向内縁に上記収納凹部側に突出する凸片を有することによって、物品の収納状態をさらに的確に保持することができる。つまり、上記平面板の上記収納凹部と連続する左右方向内縁に上記収納凹部側に突出する凸片が形成される場合、この凸片は組立状態において上記平面板と平行な方向に突出する。そのため、この凸片は物品の大きさや形状又は物品の姿勢等にかかわらず一定の姿勢に保たれるので、物品の収納状態を的確に保持することができる。
【００１２】
また、上記課題を解決するためになされた本考案に係る物品収納ユニットは、当該緩衝シートを組み立ててなる緩衝体と、上記緩衝体の外底部及び一対の外側部に外側から当接するようこの緩衝体を内部に収容する包装箱とを備える。
【００１３】
当該物品収納ユニットは、当該緩衝シートを組み立ててなる緩衝体を備えるので、この緩衝体に収納される物品の揺動を抑えると共に、外部の衝撃からこの物品を容易かつ確実に保護することができる。また、当該物品収納ユニットは、当該緩衝シートを組み立ててなる緩衝体の外底部及び一対の外側部が包装箱によって外側から当接するよう構成されるので、包装箱内における緩衝体の揺れを防止して物品を的確に保護することができる。
【考案の効果】
【００１４】
以上説明したように、本考案の緩衝シート及び物品収納ユニットは、鉢植え等の物品の揺動を抑えると共に、外部の衝撃からこの物品を容易かつ確実に保護することができる。
【図面の簡単な説明】
【００１５】
【図１】本考案の第一実施形態に係る緩衝シートを示す模式的平面図である。
【図２】図１の緩衝シートの組立手順を示す模式的説明図である。
【図３】図１の緩衝シートを組み立ててなる緩衝体に鉢植えを収納した状態を示す模式的正面図である。
【図４】本考案の第一実施形態に係る包装箱用シートを示す模式的平面図である。
【図５】本考案の第一実施形態に係る物品収納ユニットを示す模式図であって、（ａ）は包装箱を閉じた状態を示す模式的斜視図、（ｂ）は包装箱を開けた状態を示す模式的斜視図である。
【図６】図５の物品収納ユニットにおける包装箱からの緩衝体の取出手順を示す模式的説明図である。
【考案を実施するための形態】
【００１６】
以下、適宜図面を参照しつつ、本考案の実施の形態を詳説する。
【００１７】
［第一実施形態］
＜緩衝シート＞
図１の緩衝シート１は、略方形の一枚の段ボールシートからなる。緩衝シート１は、正面視略Ｕ字状の緩衝体に組み立てられたうえ、包装箱内に収容されて用いられる。緩衝シート１は、一対の外壁構成帯状部２ａ，２ｂと、一対の外壁構成帯状部２ａ，２ｂ間に並設される内壁構成帯状部３とを備える。つまり、当該緩衝シート１は、一方の外壁構成帯状部２ａの後縁に内壁構成帯状部３が並設され、かつ他方の外壁構成帯状部２ｂの前縁に内壁構成帯状部３が並設されている。なお、緩衝シート１及び緩衝シート１を組み立ててなる緩衝体において、「前」とは、外壁構成帯状部２ａ，２ｂ及び内壁構成帯状部３の短手方向の一方向側を意味し、「後」とは、その逆側を意味する。また、緩衝シート１における「左右」とは、外壁構成帯状部２ａ，２ｂ及び内壁構成帯状部３の長手方向側を意味し、緩衝体における「左右」とは底部における上記左右方向を意味する。また、図１において、太い実線は段ボールシートが切断されたエッジ（切込みを含む）を示し、細い実線は段ボールシートを型押しして形成される折り曲げ容易線（罫線）を示す。
【００１８】
当該緩衝シート１に用いられる段ボールシートとしては、波形状に形成された中芯原紙をライナーに貼り合わせたものであって、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。また、かかる段ボールシートの中芯の稜線方向は、一対の外壁構成帯状部２ａ，２ｂ及び内壁構成帯状部３の長手方向と平行とされている。
【００１９】
（外壁構成帯状部）
一対の外壁構成帯状部２ａ，２ｂは、組立状態において外底部を構成する外底板４ａ，４ｂと、外底板４ａ，４ｂの左右方向両側に連接され組立状態において互いに対向する一対の外側部を構成する一対の外側板５ａ，５ｂを有する。
【００２０】
外底板４ａ，４ｂは、略矩形状に形成される。外底板４ａ，４ｂは、左右方向の中央部の前縁又は後縁において内壁構成帯状部３と連接される。また、外底板４ａ，４ｂは、正面視においてこの中央部の左右方向に延出する一対の側部を有する。外底板４ａ，４ｂは、内壁構成帯状部３と連接される側の左右端縁が面取り状に形成されている。
【００２１】
上記側部の延出長さＬ１の下限としては、３ｃｍが好ましく、５ｃｍがより好ましい。一方、上記側部の延出長さＬ１の上限としては、８ｃｍが好ましく、６ｃｍがより好ましい。上記側部の延出長さＬ１が上記下限未満であると、当該緩衝シート１を組み立ててなる緩衝体に物品を収納した場合に、物品の側面が一対の外側板５ａ，５ｂよりも外側に突出してしまうおそれがある。逆に、上記側部の延出長さＬ１が上記上限を超える場合、緩衝体が不必要に大きくなるおそれがある。
【００２２】
外底板４ａ，４ｂの前後方向長さＬ２の下限としては、３ｃｍが好ましく、８ｃｍがより好ましい。一方、外底板４ａ，４ｂの前後方向長さＬ２の上限としては、１３ｃｍが好ましく、１０ｃｍがより好ましい。外底板４ａ，４ｂの前後方向長さＬ２が上記下限未満であると、当該緩衝シート１を組み立ててなる緩衝体の底部の強度を十分に高められないおそれがある。逆に、外底板４ａ，４ｂの前後方向長さＬ２が上記上限を超えると、緩衝体の組立作業性が低下するおそれがあると共に、緩衝体が不必要に大きくなるおそれがある。
【００２３】
外側板５ａ，５ｂは、外底板４ａ，４ｂの左右方向側縁に連接される。詳細には、外側板５ａ，５ｂは、外底板４ａ，４ｂの上記面取り部分を除く左右方向側縁に連接され、かつこの連接部から側方に伸びる。当該緩衝シート１は、かかる構成を有することで、当該緩衝シート１を組み立ててなる緩衝体の下部の隅部が平面視で面取り状に形成され、これにより包装箱内への収容作業が容易化される。
【００２４】
また、外側板５ａ，５ｂは、左右方向外側の前縁又は後縁において後述する内壁構成帯状部３の第二内側板９と連接されている。外側板５ａ，５ｂは、第二内側板９と連接される側と反対側の端縁に切欠きが形成されている。外側板５ａ，５ｂは、かかる切欠きを有することで、緩衝体に組み立てられた状態で、外側板５ａ，５ｂが後述する開口１６，１７を塞ぐのが防止されている。また、外側板５ａ，５ｂは、それぞれ内壁構成帯状部３の外側に折り重ねた状態で、各々の内縁（折り重ねる前における前後方向外縁）同士が離間する。つまり、外側板５ａ，５ｂの前後方向の合計長さは、内壁構成帯状部３の前後方向長さより短い。また、この内縁同士の間隔としては、後述する包装箱５２の持ち手孔５３の幅以上とされる。これにより、当該緩衝シート１は、この緩衝シート１を組み立ててなる緩衝体の包装箱からの取出作業性が向上されている。
【００２５】
外側板５ａ，５ｂの長手方向長さＬ３としては、特に限定されるものではなく、例えば２０ｃｍ以上５０ｃｍ以下程度とすることができる。
【００２６】
（内壁構成帯状部）
内壁構成帯状部３は、組立状態における内壁を構成する。内壁構成帯状部３は、外底板４ａ，４ｂに連接され外底板４ａ，４ｂよりも左右方向長さの小さい内底板６と、内底板６の左右方向両側に連接され組立状態において互いに対向する一対の第一内側板７と、一対の第一内側板７の左右方向外縁に連接され組立状態において外底板４ａ，４ｂと対向する一対の平面板８と、一対の平面板８の左右方向外縁側に連接されると共に外側板５ａの後縁及び外側板５ｂの前縁に連接される一対の第二内側板９と、一対の第一内側板７から突設される舌片１０，１１とを有する。
【００２７】
内底板６は、外底板４ａの後縁及び外底板４ｂの前縁に連接される。内底板６は、外底板４ａ，４ｂとの連接部を前縁及び後縁とする略矩形状に形成されている。内底板６の左右方向長さＬ４としては、この内底板６に載置される鉢植え等の物品の最大幅よりも小さく形成されており、例えば５ｃｍ以上１５ｃｍ以下程度とされる。また、内底板６の前後方向中央部分の両側には、一対のコ字状突片１２が左右方向に延設されている。これにより、内底板６の前後方向中央部分の両側の延長上には一対の凹部が形成されている。さらに、この凹部の幅は、後述する包装箱５２の持ち手孔５３の幅以上とされ、凹部の深さは、後述する包装箱５２の切込み片４６の先端から基端までの突出長さ以上とされている。これにより、当該緩衝シート１は、この緩衝シート１を組み立ててなる緩衝体の包装箱からの取出作業性が向上されている。また、上記一対のコ字状突片１２により、一対の外壁構成帯状部２ａ，２ｂの外底板４ａ，４ｂと一対の外側板５ａ，５ｂとの連接部、及び内壁構成帯状部３の内底板６と一対の第一内側板７との連接部を折り曲げる際の折り曲げ動作を安定させることができる。
【００２８】
内底板６の前後方向長さＬ５は、緩衝体への組立容易性等の点から、外底板４ａ，４ｂの前後方向の合計長さ（Ｌ２×２）以上であることが好ましい。また、外底板４ａ，４ｂの前後方向長さは、典型的には外側板５ａ，５ｂの前後方向長さと略同一であるため、内底板６の前後方向長さＬ５は、外底板４ａ，４ｂの前後方向の合計長さ（Ｌ２×２）と後述する包装箱５２の持ち手孔５３の幅との合計長さ以上であることが好ましい。一方、内底板６の前後方向長さＬ５は、緩衝体の底部の強度を高める点から、外底板４ａ，４ｂの前後方向の合計長さ（Ｌ２×２）の２倍以下であることが好ましく、１．５倍以下であることがさらに好ましい。具体的には、内底板６の前後方向長さＬ５としては、例えば１０ｃｍ以上３５ｃｍ以下程度とすることができる。
【００２９】
一対の第一内側板７は、それぞれ組立状態において緩衝体前後方向中央に内底板６の左右方向長さよりも広い物品を収納可能な収納凹部１３、及びこの物品を前後方向から支持する前後一対の支持柱を構成する。具体的には、一対の第一内側板７は、内底板６の左右方向側縁の前後部分から互いに間隔をもって配設される前後一対の支持柱構成部位１４ａ，１４ｂを有し、この前後一対の支持柱構成部位１４ａ，１４ｂによって前後一対の支持柱が構成されると共に、この前後一対の支持柱構成部位１４ａ，１４ｂ間が収納凹部１３として構成される。当該緩衝シート１は、このように、前後一対の支持柱構成部位１４ａ，１４ｂが互いに離間して配設されることで、一対の第一内側板７の前後方向の中央に内底板６の左右方向長さよりも広い物品を容易に載置することができる。
【００３０】
一対の支持柱構成部位１４ａ，１４ｂは、前後方向外縁が内底板６の前縁又は後縁から連続した直線状に形成されると共に、前後方向内縁は左右方向外側に向けて外縁側に傾斜している。つまり、収納凹部１３は左右方向外側に向けて拡幅した形状を有する。当該緩衝シート１は、このように収納凹部１３が左右方向外側に向けて拡幅することで、例えば鉢植え等を収納凹部１３に容易かつ確実に収納することができる。
【００３１】
一対の支持柱構成部位１４ａ，１４ｂの長手方向長さＬ６としては、収納する物品の大きさ等に合わせて適宜設定可能であるが、例えば１０ｃｍ以上２５ｃｍ以下程度とすることができる。また、収納凹部１３の前後方向平均長さとしては、例えば５ｃｍ以上２０ｃｍ以下程度とすることができる。
【００３２】
一対の平面板８は、略矩形状に形成されている。また、一対の平面板８は、前後一対の支持柱構成部位１４ａ，１４ｂ双方の左右方向外縁に連接されている。一対の平面板８は、組立状態で収納凹部１３及び前後一対の支持柱構成部位１４ａ，１４ｂ上に配設される。一対の平面板８の左右方向長さは、外底板４ａ，４ｂの上記側部の延出長さＬ１と略同一とされる。これにより、組立状態において、一対の平面板８は外底板４ａ，４ｂと略平行に配置され、外底板４ａ，４ｂ、外側板５ａ，５ｂ、支持柱構成部位１４ａ，１４ｂ及び平面板８が正面視において略矩形状に構成される。また、一対の平面板８の前後方向長さは、内底板６の前後方向長さと同一とされる。
【００３３】
一対の平面板８は、収納凹部１３と連続する左右方向内縁に収納凹部１３側に突出する凸片１５を有する。凸片１５は、略矩形状に形成されている。また、凸片１５は、内縁部分の収納凹部１３と連続する全縁に亘り形成されている。
【００３４】
凸片１５の突出長さの下限としては、１ｍｍが好ましく、２ｍｍがより好ましい。一方、凸片１５の突出長さの上限としては、１ｃｍが好ましく、５ｍｍがより好ましい。凸片１５の突出長さが上記下限未満であると、組立状態における物品の係止効果が十分に得られないおそれがある。逆に、凸片１５の突出長さが上記上限を超えると、舌片１０，１１を組立状態における収納凹部１３の上端側まで形成できなくなるおそれがある。
【００３５】
一対の第二内側板９は、略矩形状に形成される。また、一対の第二内側板９の左右方向外縁は、一対の外側板５ａ，５ｂの左右方向外縁と面一状に形成されている。一対の第二内側板９は、当該緩衝シート１を組み立ててなる緩衝体が後述する包装箱内に収容された状態で、この包装箱に設けられる持ち手孔５３と重なる部分に開口１６が形成されている。また、一対の第二内側板９は、当該緩衝シート１を組み立ててなる緩衝体が後述する包装箱内に収容された状態で、この包装箱に設けられる通気孔４７と重なる部分に開口１７が形成されている。
【００３６】
一対の第二内側板９の左右方向長さは、収容する物品（例えば植木鉢や花）、包装箱等のサイズ等によって適宜設定可能である。
【００３７】
舌片１０，１１は、収容凹部１３に向けて一対の支持柱構成部位１４ａ，１４ｂの内縁からそれぞれ突設されている。また、舌片１０，１１は、組立状態で収容凹部１３の上側に突出する上側舌片１０ａ，１１ａと、組立状態で上側舌片１０ａ，１１ａよりも下側に突出する下側舌片１０ｂ，１１ｂとを有する。また、一対の支持柱構成部位１４ａ，１４ｂの内縁のうち、上側舌片１０ａ，１１ａが突設される部分は、下側舌片１０ｂ，１１ｂが突設される部分よりも傾斜角が小さい。これにより、当該緩衝シート１は、例えば収納凹部１３に鉢植えを収納する場合、上側舌片１０ａ，１１ａを植木鉢のフランジ部に当接させ、下側舌片１０ｂ，１１ｂを植木鉢の胴部に当接させることで、植木鉢の揺動を抑えつつ的確に保護することができる。
【００３８】
＜組立方法＞
次に、図２を参照して、当該緩衝シート１を緩衝体２１に組み立てる手順について説明する。
【００３９】
まず、図２（ａ）に示すように、一対の外壁構成帯状部２ａ，２ｂを内壁構成帯状部３の外側（裏面側）に折り重ねる。また、この際、一対の外壁構成帯状部２ａ，２ｂと内壁構成帯状部３との重畳部位を接着剤等によって固定してもよい。
【００４０】
次に、図２（ｂ）に示すように、一対の外壁構成帯状部２ａ，２ｂの外底板４ａ，４ｂと一対の外側板５ａ，５ｂとの連接部、及び内壁構成帯状部３の内底板６と一対の第一内側板７との連接部を内側に略９０°折り曲げる。これにより、一対の外側板５ａ，５ｂ、一対の第一内側板７及び一対の第二内側板９がそれぞれ対向し、外底板４ａ，４ｂ及び一対の平面板８が対向する正面視略Ｕ字状の緩衝体２１が組み立てられる。
【００４１】
＜緩衝体＞
続いて、図３を参照して、緩衝体２１について説明する。
【００４２】
緩衝体２１は、外底板４ａ，４ｂによって構成される外底部２２と、一対の外側板５ａ，５ｂによって構成される一対の外側部２３と、内壁構成帯状部３によって構成される内壁２４と、舌片１０，１１と、一対のコ字状突片１２によって構成される一対の凹部とを備える。
【００４３】
緩衝体２１は、図３に示すように、一対の収納凹部１３に鉢植えＸ等の物品を収納可能に構成されている。緩衝体２１は、植木鉢Ｙの両側面を前後一対の支持柱構成部位１４ａ，１４ｂによって構成される前後一対の支持柱２６により前後方向から挟むと共に、前後一対の支持柱２６よりも外側に突出する部分については舌片１０，１１によって外側から支持する。また、植木鉢Ｙの両側面よりも外側に一対の外側部２３が存在するため、植木鉢Ｙが側方からの衝撃に晒されるのが防止される。さらに、植木鉢Ｙの両側面側の上面は、一対の凸片１５によって上方から覆われている。これにより、植木鉢Ｙが上下方向に振動するのが抑制されている。
【００４４】
＜包装箱用シート＞
図４の包装箱用シート３１は、当該緩衝体２１を内部に収容するための包装箱に組み立てられる。包装箱用シート３１は、一方側から他方側に連接され四角筒状部を形成する４つの側板３２，３３，３４，３５と、各側板３２，３３，３４，３５の下端から延出し、底部を構成する下フラップ３６，３７，３８，３９と、各側板３２，３３，３４，３５の上端から延出し、蓋部を構成する上フラップ４０，４１，４２，４３とを備え、ＪＩＳ−Ｚ−１５０７で０７１２に分類されるのり付け簡易組立形の構造を有する。包装箱用シート３１は、組立状態で対向する一対の上フラップ４１，４３が先端から基端側に一対のスリット４４を有すると共に、対向する他の一対の上フラップ４０，４２が先端に一対の差込片４５を有する。さらに、包装箱用シート３１は、対向する一対の側板３３，３５の上部の前後方向中央部に一対の持ち手孔を形成するための切込み片４６が形成されている。また、側板３２，３３，３４，３５には複数の通気孔４７が設けられている。
【００４５】
包装箱用シート３１は、側板３２の一方側に連接される糊代部４８を側板３５の他方側の端部に貼り付けることで四角筒状部を形成し、下フラップ３６，３７，３８，３９を組み立てたうえ、一対の上フラップ４１，４３を内側に折り曲げ、さらにこれら一対のフラップ４１，４３の一対のスリット４４に対向する他の一対の上フラップ４０，４２の一対の差込片４５を上方から差し込むことで包装箱として組み立てられる。
【００４６】
＜物品収納ユニット＞
図５の物品収納ユニット５１は、当該緩衝シート１を組み立ててなる緩衝体２１と、緩衝体２１の外底部２２及び一対の外側部２３に外側から当接するよう緩衝体２１を内部に収容する包装箱５２とを備える。また、物品収納ユニット５１は、緩衝体２１の前縁及び後縁も包装箱５２によって外側から当接されている。
【００４７】
物品収納ユニット５１は、図５（ａ）に示すように、対向する一対の側板３３，３５に形成される切込み片４６を内側に折り曲げることで一対の持ち手孔５３が形成されている。また、図５（ｂ）に示すように、緩衝体２１の持ち手孔５３と重なる領域には開口１６が形成され、通気孔４７と重なる部位には開口１７が形成されている。
【００４８】
当該物品収納ユニット５１は、開口１６に切込み片４６を挿入した状態で包装箱５２内に緩衝体２１を保持することで、緩衝体２１の包装箱５２内での揺動を防止することができる。このような構成によれば、例えば対向する一対の第二内側板９の上下方向長さが包装箱５２の上下方向長さよりも短い場合でも開口１６に切込み片４６を挿入した状態で包装箱５２内に緩衝体２１を保持することで、緩衝体２１の上下方向の揺動を防止することができる。
【００４９】
＜緩衝体の取出手順＞
次に、図６を参照して、包装箱５２から緩衝体２１を取り出す手順について説明する。まず、一対の内壁２４の上部同士を近接させ包装箱５２の一対の持ち手孔５３と重なる領域に形成される一対の開口１６に指を入れて一対の内壁２４の上部を把持する。この際、複数の切込み片４６は内側に折り曲げられているので、一対の内壁２４の上部同士は切込み片４６に遮られることなく容易に近接することができる。
【００５０】
続いて、一対の内壁３４の上部を把持した状態で緩衝体２１を引き上げる。ここで、内底板６の前後方向中央部分の両側から延設される一対のコ字状突片１２によって緩衝体２１の前後方向中央部分における左右方向両側には凹部２５が形成されており、かつ外側部２３の内縁同士は、一対の持ち手孔５３の幅以上に離間されているので、包装箱５２から緩衝体２１を取り出す際に緩衝体２１と切込み片４６との接触が回避される。そのため、当該物品収納ユニット５１は、包装箱５２から緩衝体２１を容易かつ確実に取り出すことができる。
【００５１】
＜利点＞
当該緩衝シート１は、外壁構成帯状部２ａ，２ｂを内壁構成帯状部３の外側に折り重ね、又は内壁構成帯状部３を外壁構成帯状部２ａ，２ｂの内側に折り重ねて、一対の外側板５ａ，５ｂ、一対の第一内側板７及び一対の第二内側板９がそれぞれ対向するように正面視略Ｕ字状に折り曲げることで緩衝体２１として組み立てられる。当該緩衝シート１は、収納凹部１３及び前後一対の支持柱２６を構成する一対の第一内側板７を有するので、この収納凹部１３に物品を収納することで物品の揺動を抑えることができる。また、当該緩衝シート１は、内壁構成帯状部３が収納凹部１３に向けて支持柱２６の前後方向内側から突設される舌片１０，１１を有するので、収納凹部１３に収納された物品の側面を保護することができる。さらに、当該緩衝シート１は、組立状態で各々対向する一対の外側板５ａ，５ｂ、一対の第一内側板７及び一対の第二内側板９を有し、この一対の第一内側板７に収納凹部１３が形成されているので、この収納凹部１３に物品を収納した場合でも、この物品の両側面よりも外側に一対の外側板５ａ，５ｂが存在する。つまり、当該緩衝シート１は、収納凹部１３に物品を収納した場合でも、この物品は一対の外側板５ａ，５ｂよりも外側に突出しない。そのため、当該緩衝シート１は、物品の側面側から衝撃が加えられた場合でも、一対の外側板５ａ，５ｂにより物品に加えられる衝撃を弱めることができる。従って、当該緩衝シート１は、外部の衝撃から物品を容易かつ確実に保護することができる。
【００５２】
当該緩衝シート１は、前後一対の支持柱２６から突設される前後一対の舌片１０，１１を有することによって、物品を前後一対の支持柱２６間により的確に保持することができる。また、このような構成によると、収納凹部１３に物品を収納した状態で前後一対の舌片１０，１１間に空隙を生じ、物品が外側に露出されるおそれがあるが、当該緩衝シート１は一対の第一内側板７の外側に一対の外側板５ａ，５ｂが設けられるので、物品の破損等を抑制することができる。
【００５３】
当該緩衝シート１は、第一内側板７が内底板６の左右方向側縁の前後部分から互いに間隔をもって配設される前後一対の支持柱構成部位１４ａ，１４ｂを有すると共に、平面板８が前後一対の支持柱構成部位１４ａ，１４ｂ双方の左右方向外縁に連接されるので、前後一対の支持柱構成部位１４ａ，１４ｂにより収納凹部１３に収納された物品の水平方向の揺動を防止することができると共に、平面板８が物品の一部を上方から覆うことで、物品の上下方向の揺動を防止し、収納状態を好適に保持することができる。
【００５４】
当該緩衝シート１は、平面板８が収納凹部１３と連続する左右方向内縁に収納凹部１３側に突出する凸片１５を有するので、物品の収納状態をさらに的確に保持することができる。
【００５５】
当該物品収納ユニット５１は、当該緩衝シート１を組み立ててなる緩衝体２１を備えるので、この緩衝体２１に収納される物品の揺動を抑えると共に、外部の衝撃からこの物品を容易かつ確実に保護することができる。また、当該物品収納ユニット５１は、当該緩衝シート１を組み立ててなる緩衝体２１の外底部２２及び一対の外側部２３が包装箱５２によって外側から当接するよう構成されているので、包装箱５２内における緩衝体２１の揺れを防止して物品を的確に保護することができる。
【００５６】
［その他の実施形態］
なお、本考案の緩衝シート及び物品収納ユニットは、上記態様の他、種々の変更、改良を施した態様で実施することができる。例えば上記外壁構成帯状部は、必ずしも上記内壁構成帯状部の前縁及び後縁に連接される必要はなく、内壁構成帯状部と略同じ前後長さの外壁構成帯状部が内壁構成帯状部の前縁のみ又は後縁のみに連接されてもよい。また、一対の外壁構成帯状部が前後向に一体に構成され、さらにこの前後方向外側に２分割された内壁構成帯状部が連接されてもよい。
【００５７】
上記舌片は、必ずしも前後一対の支持柱の内縁からそれぞれ突設される必要はなく、一方の支持柱の内縁のみから突設されてもよい。また、上記平面板は、必ずしも上記収納凹部側に突出する凸片を有していなくてもよい。
【産業上の利用可能性】
【００５８】
以上のように、本考案の緩衝シート及び物品収納ユニットは、物品の揺動を抑えると共に、外部の衝撃からこの物品を容易かつ確実に保護することができ、鉢植えの収納等に適している。
【符号の説明】
【００５９】
１  緩衝シート
２ａ，２ｂ  外壁構成帯状部
３  内壁構成帯状部
４ａ，４ｂ  外底板
５ａ，５ｂ  外側板
６  内底板
７  第一内側板
８  平面板
９  第二内側板
１０，１１  舌片
１０ａ，１１ａ  上側舌片
１０ｂ、１１ｂ  下側舌片
１２  コ字状突片
１３  収納凹部
１４ａ，１４ｂ  支持柱構成部位
１５  凸片
１６，１７  開口
２１  緩衝体
２２  外底部
２３  外側部
２４  内壁
２５  凹部
２６  支持柱
３１  包装箱用シート
３２，３３，３４，３５  側板
３６，３７，３８，３９  下フラップ
４０，４１，４２，４３  上フラップ
４４  スリット
４５  差込片
４６  切込み片
４７  通気孔
４８  糊代部
５１  物品収納ユニット
５２  包装箱
５３  持ち手孔
Ｘ  鉢植え
Ｙ  植木鉢
【図１】
0003198918.tif 000003
【図２】
0003198918.tif 000004
【図３】
0003198918.tif 000005
【図４】
0003198918.tif 000006
【図５】
0003198918.tif 000007
【図６】
0003198918.tif 000008